(57)【特許請求の範囲】
【請求項１】
無線通信システムのＵＥ（ユーザー端末）においてバッファ状態報告（ＢＳＲ）を実行する方法であって、
所定条件の合致時にＢＳＲプロセスをトリガーする段階と、
前記ＵＥのすべての論理チャネルグループにアップリンクバッファデータが無い場合に、短フォーマットのＢＳＲ制御要素を使用する段階とを含む、ＢＳＲの実行方法。
【請求項２】
前記短フォーマットのＢＳＲ制御要素は、前記ＵＥにおいて優先度が最も高い第一論理チャネルグループのアップリンクバッファデータ量を示すものである、請求項１に記載のＢＳＲの実行方法。
【請求項３】
前記短フォーマットのＢＳＲ制御要素は、前記ＵＥにおいていずれかの論理チャネルグループのアップリンクバッファデータ量を示すものである、請求項１に記載のＢＳＲの実行方法。
【請求項４】
前記所定条件は、周期的ＢＳＲタイマー（ＰＥＲＩＯＤＩＣ  ＢＳＲ  ＴＩＭＥＲ）の終了である、請求項１から３のいずれかに記載のＢＳＲの実行方法。
【請求項５】
前記所定条件は、前記ＵＥのサービングセルの変更である、請求項１から４のいずれかに記載のＢＳＲの実行方法。
【請求項６】
無線通信システムのＵＥにおいてＢＳＲを実行するための通信装置であって、
プログラムを実行するＣＰＵ（中央処理装置）と、
前記ＣＰＵに結合され、前記プログラムを記録する記憶装置とを含み、前記プログラムは、
所定条件の合致時にＢＳＲプロセスをトリガーする段階と、
前記ＵＥのすべての論理チャネルグループにアップリンクバッファデータが無い場合に、短フォーマットのＢＳＲ制御要素を使用する段階とを含む、通信装置。
【請求項７】
前記短フォーマットのＢＳＲ制御要素は、前記ＵＥにおいて優先度が最も高い第一論理チャネルグループのアップリンクバッファデータ量を示すものである、請求項６に記載の通信装置。
【請求項８】
前記短フォーマットのＢＳＲ制御要素は、前記ＵＥにおいていずれかの論理チャネルグループのアップリンクバッファデータ量を示すものである、請求項６に記載の通信装置。
【請求項９】
前記所定条件は、周期的ＢＳＲタイマー（ＰＥＲＩＯＤＩＣ  ＢＳＲ  ＴＩＭＥＲ）の終了である、請求項６から８のいずれかに記載の通信装置。
【請求項１０】
前記所定条件は、前記ＵＥのサービングセルの変更である、請求項６から９のいずれかに記載の通信装置。
【発明の詳細な説明】
【技術分野】
【０００１】
本発明はバッファ状態報告（ＢＳＲ）を実行する方法及び通信装置に関し、特にＢＳＲの実行時にＢＳＲ制御要素（ｃｏｎｔｒｏｌ  ｅｌｅｍｅｎｔ）のフォーマットを決める方法及び通信装置に関する。
【背景技術】
【０００２】
ＬＴＥ（ｌｏｎｇ  ｔｅｒｍ  ｅｖｏｌｕｔｉｏｎ）無線通信システムは、第三世代移動通信システム（例えばＵＭＴＳ（汎用移動通信システム））をもとに確立されたアドバンスド高速無線通信システムである。ＬＴＥ無線通信システムはパケット交換のみサポートし、そのＲＬＣ通信プロトコル層とＭＡＣ通信プロトコル層は基地局（ノードＢ）とＲＮＣ（無線ネットワークコントローラ）に別々に設けなくてもよく、同一の通信ネットワークエンティティー（例えば基地局（ノードＢ））に統合できるので、システム構造が比較的に簡単である。
【０００３】
ＬＴＥ無線通信システムでは、ＭＡＣ（媒体アクセス制御）層は複数の論理チャネルを通してデータ伝送のサービスを提供する。ＵＥ（ユーザー端末）でアップリンク伝送を実行するとき、ネットワークは優先度やタイプなどの情報に基づいて、ＵＥの論理チャネルを最大４つのグループに分けることができる。各論理チャネルの優先度は上位層（すなわちＲＲＣ（無線リソース制御）層）により指定され、１〜８のうちいずれかの正整数に対応する。また、３ＧＰＰ（第三世代パートナーシッププロジェクト）はＢＳＲプロセスを導入している。ＢＳＲプロセスは、ＵＥのアップリンクバッファのデータ量をサービス基地局（ｅｎｈａｎｃｅｄ  ｎｏｄｅ  Ｂ、ｅＮＢとも称する）に報告するために用いられる。ＢＳＲプロセスでは、ＵＥはＭＡＣ  ＰＤＵ（プロトコルデータユニット）でＢＳＲ制御要素を運び、アップリンクバッファのデータ量に関する情報をネットワークに返送すし、ネットワークはそれにより特定またはすべての論理チャネルグループの伝送可能なデータ量を判断する。
【０００４】
現在の仕様では、ＢＳＲプロセスはトリガーの条件により一般ＢＳＲ（ｒｅｇｕｌａｒ  ＢＳＲ）、周期的ＢＳＲ（ｐｅｒｉｏｄｉｃ  ＢＳＲ）、パディングＢＳＲに分けられる。一般ＢＳＲは、あるアップリンクデータがＵＥのアップリンクバッファに到達し、かつその優先度が当該アップリンクバッファの既存データより高い場合か、またはサービングセルが変わった場合にトリガーされる。周期的ＢＳＲは、周期的ＢＳＲタイマー（ＰＥＲＩＯＤＩＣ  ＢＳＲ  ＴＩＭＥＲ）の終了時にトリガーされる。パディングＢＳＲは、ＭＡＣ  ＰＤＵのパディング領域のサイズがＢＳＲ制御要素より大きいかそれに等しい場合にトリガーされる。
【０００５】
また、ＢＳＲ制御要素は要求に応じて長／短フォーマットに分けることができる。短フォーマットのＢＳＲ制御要素は長さ１バイトで、８ビットのデータを含む。前の２ビットは特定の論理チャネルグループを示し、残りの６ビットは当該論理チャネルグループのアップリンクバッファのデータ量を示す。長フォーマットのＢＳＲ制御要素は長さ３バイトで、すべての論理チャネルグループのアップリンクバッファのデータ量を報告するために用いられる。長／短フォーマットについて、詳しくは関連のプロトコル仕様を参照すればよく、ここで説明を省略する。
【０００６】
一般ＢＳＲまたは周期的ＢＳＲプロセスでは、ＵＥはアップリンクバッファデータを有する論理チャネルグループが１以上あるかどうかに基づいて、長フォーマットまたは短フォーマットのＢＳＲ制御要素を使用する。アップリンクバッファデータを有する論理チャネルグループが１のみあれば短フォーマットのＢＳＲ制御要素を使用し、アップリンクバッファデータを有する論理チャネルグループが１以上あれば長フォーマットのＢＳＲ制御要素を使用して報告を行う。
【０００７】
しかし、関連の仕様によれば、一般ＢＳＲまたは周期的ＢＳＲプロセスがトリガーされた後（例えばサービングセルの変更か周期的ＢＳＲタイマーの終了によりトリガーされた後）、ＵＥがアップリンク伝送リソースを取得してＢＳＲを行うとき、すべての論理チャネルグループにアップリンクバッファデータが無い場合、すなわちすべての論理チャネルグループのアップリンクバッファのデータ量が０であった場合では、従来の技術はどのようなフォーマットのＢＳＲ制御要素で報告を行うべきかについて何も示していない。
【発明の開示】
【発明が解決しようとする課題】
【０００８】
本発明はＢＳＲ制御要素のフォーマットを決めるための、無線通信システムのＵＥにおいてＢＳＲを実行する方法及び関連通信装置を提供することを課題とする。
【課題を解決するための手段】
【０００９】
本発明では、無線通信システムのＵＥ（ユーザー端末）においてバッファ状態報告（ＢＳＲ）を実行する方法を開示する。当該方法は、所定条件の合致時にＢＳＲプロセスをトリガーする段階と、ＵＥのすべての論理チャネルグループにアップリンクバッファデータが無い場合に、短フォーマットのＢＳＲ制御要素を使用する段階とを含む。
【００１０】
本発明では更に、無線通信システムのＵＥにおいてＢＳＲを実行するための通信装置を開示する。当該通信装置は、プログラムを実行するＣＰＵ（中央処理装置）と、ＣＰＵに結合され、前記プログラムを記録する記憶装置とを含む。前記プログラムは、所定条件の合致時にＢＳＲプロセスをトリガーする段階と、前記ＵＥのすべての論理チャネルグループにアップリンクバッファデータが無い場合に、短フォーマットのＢＳＲ制御要素を使用する段階とを含む。
【発明を実施するための最良の形態】
【００１１】
かかる方法及び装置の特徴を詳述するために、具体的な実施例を挙げ、図を参照にして以下に説明する。
【００１２】
図１を参照する。図１は無線通信システム１０００を表す説明図である。無線通信システム１０００は望ましくはＬＴＥシステムであり、概してネットワークと複数のＵＥ（ユーザー端末）を含む。図１に示すネットワークとＵＥは無線通信システム１０００の構造を説明するために用いるに過ぎない。実際、ネットワークは要求に応じて複数の基地局、ＲＮＣ（無線ネットワークコントローラー）を含みうる。ＵＥは携帯電話、コンピュータシステムなどの装置である。
【００１３】
図２を参照する。図２は無線通信装置１００のブロック図である。無線通信装置１００は図１に示すＵＥを実施するために用いられる。説明を簡素化するため、図２では無線通信装置１００の入力装置１０２、出力装置１０４、制御回路１０６、ＣＰＵ（中央処理装置）１０８、記憶装置１１０、プログラム１１２及びトランシーバー１１４のみ示している。無線通信装置１００では、制御回路１０６はＣＰＵ１０８を用いて記憶装置１１０に記録されたプログラム１１２を実行し、無線通信装置１００の動作を制御し、入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルに当てはめれば、トランシーバー１１４は第一層の一部とみなされ、制御回路１０６は第二層と第三層の機能を実施する。
【００１４】
図３を参照する。図３は図２に示すプログラム１１２を表す説明図である。プログラム１１２はアプリケーション層２００と、第三層インターフェイス２０２と、第二層インターフェイス２０６とを含み、第一層インターフェイス２１８に接続されている。第三層インターフェイス２０２はＲＲＣ（無線リソース制御）を実施する。第二層インターフェイス２０６はＲＬＣ（無線リンク制御）層インターフェイスとＭＡＣ（媒体アクセス制御）層インターフェイスを含み、リンク制御を実施する。第一層インターフェイス２１８は物理接続を実施する。
【００１５】
ＬＴＥ無線通信システムでは、第二層インターフェイス２０６のＭＡＣ層はＢＳＲプロセスを実行し、ＢＳＲ制御要素でアップリンクバッファのデータ量に関する情報をネットワークに返送し、ネットワークはそれにより特定またはすべての論理チャネルグループの伝送可能なデータ量を判断する。ＵＥでＢＳＲの実行時、すべての論理チャネルグループにアップリンクバッファデータが無い場合に応じて、本発明の実施例はＢＳＲ制御要素のフォーマットを決めるためのＢＳＲプログラム２２０を提供する。
【００１６】
図４を参照する。図４は本発明による方法４０のフローチャートである。下記方法４０は無線通信システム１０００のＵＥでＢＳＲを実行するときに、ＢＳＲ制御要素のフォーマットを決めるために用いられる。
【００１７】
ステップ４００：開始。
ステップ４０２：所定条件の合致時にＢＳＲプロセスをトリガーする。
ステップ４０４：ＵＥのすべての論理チャネルグループにアップリンクバッファデータが無い場合に、短フォーマットのＢＳＲ制御要素を使用する。
ステップ４０６：終了。
【００１８】
以上のように、ＵＥは所定条件の合致時にＢＳＲプロセスをトリガーし、ＢＳＲの実行時にすべての論理チャネルグループにアップリンクバッファデータが無い場合に、短フォーマットのＢＳＲ制御要素を使用する。前記所定条件とは、周期的ＢＳＲタイマー（ＰＥＲＩＯＤＩＣ  ＢＳＲ  ＴＩＭＥＲ）の満了またはＵＥのサービングセル変更を指す。
【００１９】
言い換えれば、サービングセルの変更か周期的ＢＳＲタイマーの終了によりＢＳＲプロセスがトリガーされ、ＵＥがアップリンク伝送リソースを取得してＢＳＲを行うとき、すべての論理チャネルグループにアップリンクバッファデータが無い場合、すなわちすべての論理チャネルグループのアップリンクバッファのデータ量が０であった場合では、本発明の実施例は短フォーマットのＢＳＲ制御要素で報告を行う。
【００２０】
本発明の実施例による短フォーマットのＢＳＲ制御要素は、優先度が最も高い論理チャネルグループのアップリンクバッファデータを示すものであることが望ましいが、これに限らない。例えば、他実施例により、短フォーマットのＢＳＲ制御要素を、ＵＥのいずれかの論理チャネルグループのアップリンクバッファデータ量を示すものとして利用することも、本発明の範囲に属する。
【００２１】
まとめて言えば、ＢＳＲプロセスがトリガーされた後、ＵＥがアップリンク伝送リソースを取得してＢＳＲを行うとき、すべての論理チャネルグループにアップリンクバッファデータが無い場合、本発明の実施例は短フォーマットのＢＳＲ制御要素で報告を行う。
【００２２】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【図面の簡単な説明】
【００２３】
【図１】無線通信システムを表す説明図である。
【図２】無線通信装置のブロック図である。
【図３】図２に示すプログラムを表す説明図である。
【図４】本発明による方法のフローチャートである。
【符号の説明】
【００２４】
１０          無線通信システム
１００        無線通信装置
１０２        入力装置
１０４        出力装置
１０６        制御回路
１０８        ＣＰＵ
１１０        記憶装置
１１２        プログラム
１１４        トランシーバー
２００        アプリケーション層
２０２        第三層インターフェイス
２０６        第二層インターフェイス
２１８        第一層インターフェイス
２２０        ＢＳＲプログラム
【図１】
0005331509.tif 000002
【図２】
0005331509.tif 000003
【図３】
0005331509.tif 000004
【図４】
0005331509.tif 000005